【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
インクを吐出可能な複数の第１ノズル列を含む第１ノズル群と、インクを吐出可能な複数の第２ノズル列を含む第２ノズル群と、を備えた記録ヘッドを用い、前記記録ヘッドの１回の走査中に前記第１または第２ノズル群の一方のみを駆動する第１駆動モードと、前記記録ヘッドの１回の走査中に前記第１および第２ノズル群を異なるタイミングで駆動する第２駆動モードと、によって、記録媒体に画像を記録可能なインクジェット記録装置において、
前記第１駆動モードにおいて前記第１ノズル列間の相対的な記録位置を調整するための第１駆動モード用調整値を取得する取得手段と、
前記第１駆動モード用調整値に基づいて、前記第２駆動モードにおいて前記第１ノズル列間および前記第２ノズル列間の相対的な記録位置を調整するための第２駆動モード用調整値を設定する設定手段と、
を備え、
前記設定手段は、前記第２駆動モードにおいて奇数カラムと偶数カラムの一方で前記第１ノズル群が駆動され、かつ他方で前記第２ノズル群が駆動されるように、前記第１駆動モード用調整に基づいて前記第２駆動モード用調整値を設定する
ことを特徴とするインクジェット記録装置。
【請求項２】
前記第１ノズル群を用いて、前記第１駆動モード用調整値の取得に用いる記録位置調整用のパターンを記録するパターン記録手段を備えることを特徴とする請求項１に記載のインクジェット記録装置。
【請求項３】
前記第１ノズル群と前記第２ノズル群は、前記記録媒体上に形成するドットの大きさが異なることを特徴とする請求項１または２に記載のインクジェット記録装置。
【請求項４】
前記第１ノズル群によって形成されるドットが第２ノズル群によって形成されるドットよりも小さいことを特徴とする請求項３に記載のインクジェット記録装置。
【請求項５】
前記第１ノズル群と前記第２ノズル群は、吐出するインクの濃度が異なることを特徴とする請求項１から４のいずれかに記載のインクジェット記録装置。
【請求項６】
前記第１ノズル群から吐出されるインクの濃度が前記第２ノズル群から吐出されるインクの濃度よりも薄いことを特徴とする請求項５に記載のインクジェット記録装置。
【請求項７】
前記第１ノズル列と前記第２ノズル列は同一のノズル列の中に位置し、
前記同一のノズル列の中に、前記第１ノズル列を形成する第１ノズルと前記第２ノズル列を形成する第２ノズルが交互に位置する
ことを特徴とする請求項１から６のいずれかに記載のインクジェット記録装置。
【請求項８】
前記第１ノズル列と前記第２ノズル列は互いに異なる位置にあるノズル列であることを特徴とする請求項１から６のいずれかに記載のインクジェット記録装置。
【請求項９】
前記取得手段は、前記第１駆動モード用調整値として、前記第１駆動モードによって前記記録ヘッドを往走査させるときに用いる往走査時の第１駆動モード用調整値と、前記第１駆動モードによって前記記録ヘッドを復走査させるときに用いる復走査時の第１駆動モード用調整値と、を取得し、
前記第２駆動モードは、前記記録ヘッドを往復走査させることによって画像を記録し、かつ前記往走査時の第１駆動モード用調整値と前記復走査時の第１駆動モード用調整値との比較結果に基づいて、前記往走査時または復走査時における奇数および偶数カラムと、前記第１および第２ノズル群の駆動タイミングとの組み合わせを決定する
ことを特徴とする請求項１から８のいずれかに記載のインクジェット記録装置。
【請求項１０】
前記パターン記録手段は、前記記録位置調整用のパターンを記録するために、シアンインク吐出用の第１ノズル列またはマゼンタインク吐出用の第１ノズル列の少なくとも一方を用いることを特徴とする請求項２に記載のインクジェット記録装置。
【請求項１１】
インクを吐出可能な複数の第１ノズル列を含む第１ノズル群と、インクを吐出可能な複数の第２ノズル列を含む第２ノズル群と、を備えた記録ヘッドを用い、前記記録ヘッドの１回の走査中に前記第１または第２ノズル群の一方のみを駆動する第１駆動モードと、前記記録ヘッドの１回の走査中に前記第１および第２ノズル群を異なるタイミングで駆動する第２駆動モードと、によって、記録媒体に画像を記録するときの記録位置設定方法であって、
前記第１駆動モードにおいて前記第１ノズル列間の相対的な記録位置を調整するための第１駆動モード用調整値を取得し、
前記第１駆動モード用調整値に基づいて、前記第２駆動モードにおいて前記第１ノズル列間および前記第２ノズル列間の相対的な記録位置を調整するための第２駆動モード用調整値を設定し、
前記第２駆動モード用調整値は、前記第２駆動モードにおいて奇数カラムと偶数カラムの一方で前記第１ノズル群が駆動され、かつ他方で前記第２ノズル群が駆動されるように、前記第１駆動モード用調整に基づいて設定する
ことを特徴とする記録位置設定方法。
【請求項１２】
前記第１ノズル群を用いて、前記第１駆動モード用調整値の取得に用いる記録位置調整用のパターンを記録することを特徴とする請求項１１に記載の記録位置設定方法。
【手続補正２】
【補正対象書類名】明細書
【補正対象項目名】００１４
【補正方法】変更
【補正の内容】
【００１４】
本発明のインクジェット記録装置は、インクを吐出可能な複数の第１ノズル列を含む第１ノズル群と、インクを吐出可能な複数の第２ノズル列を含む第２ノズル群と、を備えた記録ヘッドを用い、前記記録ヘッドの１回の走査中に前記第１または第２ノズル群の一方のみを駆動する第１駆動モードと、前記記録ヘッドの１回の走査中に前記第１および第２ノズル群を異なるタイミングで駆動する第２駆動モードと、によって、記録媒体に画像を記録可能なインクジェット記録装置において、前記第１駆動モードにおいて前記第１ノズル列間の相対的な記録位置を調整するための第１駆動モード用調整値を取得する取得手段と、前記第１駆動モード用調整値に基づいて、前記第２駆動モードにおいて前記第１ノズル列間および前記第２ノズル列間の相対的な記録位置を調整するための第２駆動モード用調整値を設定する設定手段と、を備え、前記設定手段は、前記第２駆動モードにおいて奇数カラムと偶数カラムの一方で前記第１ノズル群が駆動され、かつ他方で前記第２ノズル群が駆動されるように、前記第１駆動モード用調整に基づいて前記第２駆動モード用調整値を設定することを特徴とする。
【手続補正３】
【補正対象書類名】明細書
【補正対象項目名】００１５
【補正方法】変更
【補正の内容】
【００１５】
本発明の記録位置設定方法は、インクを吐出可能な複数の第１ノズル列を含む第１ノズル群と、インクを吐出可能な複数の第２ノズル列を含む第２ノズル群と、を備えた記録ヘッドを用い、前記記録ヘッドの１回の走査中に前記第１または第２ノズル群の一方のみを駆動する第１駆動モードと、前記記録ヘッドの１回の走査中に前記第１および第２ノズル群を異なるタイミングで駆動する第２駆動モードと、によって、記録媒体に画像を記録するときの記録位置設定方法であって、前記第１駆動モードにおいて前記第１ノズル列間の相対的な記録位置を調整するための第１駆動モード用調整値を取得し、前記第１駆動モード用調整値に基づいて、前記第２駆動モードにおいて前記第１ノズル列間および前記第２ノズル列間の相対的な記録位置を調整するための第２駆動モード用調整値を設定し、前記第２駆動モード用調整値は、前記第２駆動モードにおいて奇数カラムと偶数カラムの一方で前記第１ノズル群が駆動され、かつ他方で前記第２ノズル群が駆動されるように、前記第１駆動モード用調整に基づいて設定することを特徴とする。